(57)【要約】      （修正有）【課題】床との摩擦で網が破れることなく、卓球場の壁や障害物に接触した卓球ボールも容易に拾える卓球ボール収集具を提供する。【解決手段】針金１に網２を張った卓球ボール収集具において、針金１と網２が床と接触する先端部５の下に薄い板４を置き、薄い板に穴のあいた固定部材６を接着し、プラスチックバンド８を固定部材の穴に通した後、針金に結束することにより、先端部５が床と接触することなく長寿命化すると共に、卓球場の壁や障害物に接触した卓球ボールを薄い板にのせて、卓球ボール収集具を持ち上げると、プラスチックバンドの弾性により、薄い板が立ち、網に卓球ボールが自動的に入るようにした。【選択図】図１
0003235232.tif 000002
【実用新案登録請求の範囲】
【請求項１】
卓球ボールを収集する、針金と針金に通された網の先端部の下に、薄い板を置き、薄い板に接着された固定部材にあけられた穴と針金に、プラスチックバンドを通して結束した、長寿命を特徴とする卓球ボール収集具。
【請求項２】
床の上の卓球ボールは薄い板が床に接触して拾い、卓球場の壁や障害物に接触した卓球ボールは、薄い板に卓球ボールを載せ、持ち上げるとプラスチックバンドの弾性で、薄い板が立ってきて、卓球ボールが自動的に網に入る卓球ボール収集具。
【請求項３】
薄い板と薄い板に接着された固定部材及びプラスチックバンドがあれば、魚とり網や虫取り網、卓球メーカが販売している網のいずれにも、取り付けられる卓球ボール収集部品。
【考案の詳細な説明】
【技術分野】
【０００１】
本考案は、床の上の卓球ボールを集めるときに使われる針金と針金に通された網に関し、卓球ボールが通過する先端部の針金と網の下に薄い板を置き、薄い板に接着された固定具にあけられた穴を通したプラスチックバンドで薄い板と針金を結束し、卓球場の床の上や卓球場の壁や障害物に接触した卓球ボールを収集できる卓球ボール収集具に関するものである。
【背景技術】
【０００２】
従来の卓球ボール収集具は、針金に網を張って卓球ボールをすくい取る方法が実施されている。虫取り網や魚とり網もよく使われている。また、針金に網を張った部分を支える柄の部分にコイルバネ等で折れ曲がりができる箇所を設ける技術や、ガイド板部材を設ける技術もある（例えば、特許文献１参照）。
【先行技術文献】
【特許文献】
【０００３】
【特許文献１】特開平09-225069号公報
【考案の概要】
【考案が解決しようとする課題】
【０００４】
しかしながら、針金に網を張った方式では、床との摩擦で網が破れ、短期間しか使えないことがあった。また、ガイド板部材を置くと、卓球場の壁や障害物に接触した卓球ボールを拾うことが困難であった。本考案が解決しようとする課題は、床との摩擦で網が破れることなく、卓球場の壁や障害物に接触した卓球ボールも容易に拾える卓球ボール収集具を提供することにある。
【課題を解決するための手段】
【０００５】
本考案は、針金に網を張った卓球ボール収集具において、網の通った針金が床と接触する先端部の下に絶縁物や金属製の薄い板を置き、薄い板に穴のあいた固定部材を接着剤で接着し、プラスチックバンドを固定部材の穴に通した後、針金に結束することにより、針金と針金に通された網が床と接触することを防ぎ、網が破れることなく長寿命で卓球ボールの収集を可能とすること、及び卓球場の壁や障害物に接触した卓球ボールは、薄い板に卓球ボールを載せ、持ち上げるとプラスチックバンドの弾性で、薄い板が立ってきて、卓球ボールが自動的に網に入る卓球ボール収集具。
【考案の効果】
【０００６】
卓球ボール収集具として使われている虫取り網や魚とり網、専用の卓球ボール収集具のように、針金と針金に通された網から構成されている場合は、針金と網が床と接するため、摩擦で短期間に網が破れる。本考案の卓球ボール収集具では、床と接する針金と針金に通された網の下に薄い板を置くことにより、卓球ボールが通過する針金と網の先端部が床に直接接することなく、摩擦を避けることが出来るので、長寿命化できた。
【０００７】
さらに、床に接触する板が薄いため、本考案の卓球ボール収集具を押すだけで卓球場の床の上の卓球ボールの収集が容易となった。また、薄い板に穴のあいた固定部材を接着剤で接着し、プラスチックバンドを穴に通すと共に、網を通した針金と結束することにより、卓球場の床の上の卓球ボールを収集した後、卓球ボール収集具を持ち上げると、プラスチックバンドの弾性により、薄い板が立ってくる。本考案の卓球ボール収集具では、卓球場の壁や障害物付近の卓球ボールを薄い板に載せ、持ち上げて薄い板を自動的に立たせることにより、卓球ボールを網に容易に入れることができた。
【図面の簡単な説明】
【０００８】
【図１】本考案の一実施例の卓球ボール収集具を示す斜視図である。
【図２】卓球場の壁や障害物に接触した卓球ボールを網に取り込むための説明図である。
【図３】薄い板に接着された固定部材の穴にプラスチックバンドを通し、網を通した針金に結束した図である。
【考案を実施するための形態】
【０００９】
本発明の実施形態について図面を参照して説明する。図１は、本考案の一実施例の卓球ボール収集具の斜視図である。針金１と針金に通した網２を柄３にとりつけた、虫取り網や魚とり網、卓球専用の卓球ボール収集具では、床と接触する網が摩擦により破れる。
【００１０】
プラスチックや木材、或は金属の薄い板４を、卓球ボールを収集する時に床と接触する針金１と網２の先端部５の下に置くことにより、網２は床と直接接触しなくなるため、摩擦では破れなくなる。ここでは、薄い板として厚み１ｍｍのアクリル板を用いた。
【００１１】
図２は、卓球場の壁や障害物に接触した卓球ボールを、薄い板にのせ、卓球ボール収集具を持ち上げることにより、薄い板が立ってくることにより、薄い板にのっていた卓球ボールが容易に網の中に転げ落ちることを示している。
【００１２】
図３は、床と接する針金１と針金に通された網２の先端部５の下に薄い板４を固定する機構、及び薄い板がたってくる機構の一実施例を示す。１８ｍｍ立方体のアクリル製固定部材６に貫通穴７をあけ、薄い板４に二カ所接着剤で接着する。貫通穴７にプラスチックバンド８を通し、針金と結束した。薄い板４が床と接触し、柄３を持って押すと、薄い板４にのった卓球ボールは自動的に容易に網の中に入る。卓球ボール収集具を持ち上げると、プラスチックバンド８の弾性により、薄い板４は床に接触する前の状態に戻り、薄い板４は立ってくる。この弾性を用いて、卓球場の壁や障害物に接触した卓球ボールも、本考案の卓球ボール収集具では、薄い板に卓球ボールをのせて、卓球ボール収集具を持ち上げることにより、薄い板４にのっていた卓球ボールを網２の中に自動的に収集することが出来る。
【符号の説明】
【００１３】
１  針金
２  網
３  柄
４  薄い板
５  針金と網の先端部
６  固定部材
７  貫通孔
８  プラスチックバンド
【図１】
0003235232.tif 000003
【図２】
0003235232.tif 000004
【図３】
0003235232.tif 000005
【手続補正書】
【提出日】令和3年10月11日(2021.10.11)
【手続補正１】
【補正対象書類名】実用新案登録請求の範囲
【補正対象項目名】請求項２
【補正方法】変更
【補正の内容】
【請求項２】
プラスチックバンドを先端部の針金の外側を下に、内側を上に通して結束することにより、壁近くの卓球ボールも容易に収集できるようにした請求項１に記載の卓球ボール収集具。
【手続補正２】
【補正対象書類名】実用新案登録請求の範囲
【補正対象項目名】請求項３
【補正方法】変更
【補正の内容】
【請求項３】
針金と針金に通された網が、魚とり網や虫取り網、卓球ボール収集網である請求項１又は２に記載の卓球ボール収集具。